(57)【特許請求の範囲】
【請求項１】
ａ．医用画像である画像及び少なくとも１つの前記画像に結び付いたテキストのデータベースと、
ｂ．（ｉ）画像保管通信システム（ＰＡＣＳ）から画像を受け取り、
（ｉｉ）前記データベースと通信し、
（ｉｉｉ）前記画像と前記画像のデータベースとを比較する命令を有する第１のコンピュータ読取可能な媒体（ＦＣＲＭ）と、
ｃ．前記ＦＣＲＭと通信している第２のコンピュータ読取可能な媒体（ＳＣＲＭ）とを備えており、
前記ＦＣＲＭは、前記データベースから関連する画像及びテキストを検索するようにさらに命令されており、さらに、前記ＦＣＲＭは、前記関連する画像及びテキストを前記ＳＣＲＭへ実時間で送信するように命令されており、
前記ＦＣＲＭは、さらに、前記ＳＣＲＭからのフィードバックにより前記検索の結果を改善するように構成されていることを特徴とする医用画像の実時間分析システム。
【請求項２】
前記デバイスはＭＲＩ、ＣＴ、超音波、Ｘ線及び他の任意の医用装置からなる群から選択されることを特徴とする請求項１に記載のシステム。
【請求項３】
当該システムは手術中に使用されることを特徴とする請求項１に記載のシステム。
【請求項４】
前記関連する画像及びテキストは、専門家のモバイル機器上のアプリケーションへ送信されることを特徴とする請求項１に記載のシステム。
【請求項５】
前記関連する画像及びテキストは、前記デバイスへ送信されることを特徴とする請求項１に記載のシステム。
【請求項６】
前記関連する画像及びテキストは、前記ＳＣＲＭと通信する指定されたデバイスへ送信されることを特徴とする請求項１に記載のシステム。
【請求項７】
前記ＦＣＲＭ及び前記データベースのいずれか１つはクラウドサービス上に配置されていることを特徴とする請求項１に記載のシステム。
【請求項８】
前記関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される対象のパラメータに従ってなされることを特徴とする請求項１に記載のシステム。
【請求項９】
前記命令は、さらに、前記対象のさらなる画像に関する情報を前記デバイスの前記ＳＣＲＭへ提供するためのものであることを特徴とする請求項１に記載のシステム。
【請求項１０】
前記ＦＣＲＭは、さらに、画像及びテキストの他のデータベースと通信していることを特徴とする請求項１に記載のシステム。
【請求項１１】
前記ＦＣＲＭは、医学的な勧告を実時間で前記ＳＣＲＭに送信することを特徴とする請求項１に記載のシステム。
【請求項１２】
前記データベースは、前記ＳＣＲＭに送信する関連したデータを検出するために用いられる医学文献の第２のデータベースと通信していることを特徴とする請求項１に記載のシステム。
【請求項１３】
前記ＦＣＲＭは、関連したデータ及び画像を検索するために用いられ、前記撮像デバイスに関するソフトウェアと通信していることを特徴とする請求項１に記載のシステム。
【請求項１４】
前記ＦＣＲＭは、前記画像を分析し診断するための命令をさらに備えていることを特徴とする請求項１に記載のシステム。
【請求項１５】
前記ＳＣＲＭは、前記ＦＣＲＭから前記フィードバックによる第２のフィードバックを受信することを特徴とする請求項１に記載のシステム。
【請求項１６】
前記ＦＣＲＭは、前記フィードバックに関する統計分析を前記ＳＣＲＭに送信することを特徴とする請求項１に記載のシステム。
【請求項１７】
前記ＳＣＲＭは、前記画像の分析の時系列を生成することを特徴とする請求項１に記載のシステム。
【請求項１８】
ａ．医用画像である画像の及び少なくとも１つの前記画像に結び付いたテキストのデータベースを提供するステップと、
ｂ．第１のコンピュータ読取可能な媒体（ＦＣＲＭ）における第１の画像を、画像保管通信システム（ＰＡＣＳ）から受け取るステップと、
ｃ．前記ＦＣＲＭと前記データベースとの間で通信するステップと、
ｄ．前記画像と前記画像のデータベースとを比較するステップと、
ｅ．前記データベースから関連した画像及びテキストを検索するステップと、
ｆ．前記関連する画像及びテキストを第２のコンピュータ読取可能な媒体（ＳＣＲＭ）デバイスへ実時間で送信するステップと、
ｇ. 前記ＳＣＲＭから受け取ったフィードバックにより前記検索の結果を改善するステップと
を備えていることを特徴とする医用画像の実時間分析方法。
【請求項１９】
前記デバイスはＭＲＩ、ＣＴ、超音波、Ｘ線及び他の任意の医用装置からなる群から選択されることを特徴とする請求項１８に記載の方法。
【請求項２０】
前記システムは手術中に使用されることを特徴とする請求項１８に記載の方法。
【請求項２１】
前記関連する画像及びテキストを、前記ＳＣＲＭのモバイル機器上のアプリケーションへ送信するステップをさらに備えていることを特徴とする請求項１８に記載の方法。
【請求項２２】
前記関連する画像及びテキストを、前記デバイスへ送信するステップをさらに備えていることを特徴とする請求項１８に記載の方法。
【請求項２３】
前記関連する画像及びテキストを、前記ＳＣＲＭと通信する指定されたデバイスへ送信するステップをさらに備えていることを特徴とする請求項１８に記載の方法。
【請求項２４】
前記ＦＣＲＭ及び前記データベースのいずれか１つをクラウドサービス上に配置することを特徴とする請求項１８に記載の方法。
【請求項２５】
前記関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される前記対象のパラメータに従ってなされることを特徴とする請求項１８に記載の方法。
【請求項２６】
前記対象のさらなる画像に関する情報を前記ＳＣＲＭへ提供するステップをさらに備えていることを特徴とする請求項１８に記載の方法。
【請求項２７】
画像及びテキストの他のデータベースと前記ＦＣＲＭとの間で通信するステップをさらに備えていることを特徴とする請求項１８に記載の方法。
【請求項２８】
前記ＦＣＲＭを用いて医学的な勧告を実時間で前記ＳＣＲＭに送信するステップをさらに備えていることを特徴とする請求項１８に記載の方法。
【請求項２９】
前記データベースと、前記ＳＣＲＭへ送信する関連するデータを見付けるために用いられる医学文献の第２のデータベースとの間で通信するステップをさらに備えていることを特徴とする請求項１８に記載の方法。
【請求項３０】
前記ＦＣＲＭと、関連したデータ及び画像を検索するために用いられる、前記撮像デバイスに関するソフトウェアとの間で通信するステップをさらに備えていることを特徴とする請求項１８に記載の方法。
【請求項３１】
前記ＦＣＲＭは、前記画像を分析及び診断する命令をさらに備えていることを特徴とする請求項１８に記載の方法。
【請求項３２】
前記ＳＣＲＭは、前記ＦＣＲＭから前記フィードバックによる第２のフィードバックを受信することを特徴とする請求項１８に記載の方法。
【請求項３３】
前記ＦＣＲＭは、前記フィードバックに関する統計分析を前記ＳＣＲＭに送信することを特徴とする請求項１８に記載の方法。
【請求項３４】
前記ＳＣＲＭは、前記画像の分析の時系列を生成することを特徴とする請求項１８に記載の方法。
【発明の詳細な説明】
【技術分野】
【０００１】
本発明は、医用画像の技術分野に関し、より詳細には、得られた医用画像を分析する技術分野に関する。
【背景技術】
【０００２】
医用画像は、長年にわたって医療の主要なツールであった。
【０００３】
対象体の内部を撮像する技術はここ何年かの間に大幅に進歩したが、その撮像結果を分析する技術はさほど進歩してきていない。現在、ほとんどの分析は、結果に注目することと、注視及び経験のみによってそれらを分析することとに基づいている。この分析は、主に視覚に基づいており、テキストのビッグデータには依存していない。
【０００４】
また、近年、ビッグデータの分野は進化してきており、医療の世界に進歩する新たな機会を提供している。
【発明の概要】
【発明が解決しようとする課題】
【０００５】
従って、医用撮像デバイスの視覚能力をビッグデータ分野によって提供されるデータソースと統合することは、この種のシステムにとって長く満たされていない要求であった。
【課題を解決するための手段】
【０００６】
本発明によれば、医用画像の実時間分析システムは、
ａ：医用画像である画像及び少なくとも１つの上述の画像に結び付いたテキストのデータベースと、
ｂ：（ｉ）画像保管通信システム（ＰＡＣＳ）から画像を受け取り、
（ｉｉ）上述のデータベースと通信し、
（ｉｉｉ）上述した画像と上述した画像のデータベースとを比較する命令を有する第１のコンピュータ読取可能な媒体（ＦＣＲＭ）と、
ｃ：上述のＦＣＲＭと通信している第２のコンピュータ読取可能な媒体（ＳＣＲＭ）とを備えている。
上述のＦＣＲＭは、上述のデータベースから関連する画像及びテキストを見付けるようにさらに命令されており、さらに、上述のＦＣＲＭは、上述の関連する画像及びテキストを上述のＳＣＲＭへ実時間で送信するように命令されている。
【０００７】
本発明の一実施態様である上述したシステムにおいて、デバイスはＭＲＩ、ＣＴ、超音波、Ｘ線及び他の任意の医用装置からなる群から選択される。
【０００８】
本発明の一実施態様である上述したシステムにおいて、システムは手術中に使用される。
【０００９】
本発明の一実施態様である上述したシステムにおいて、関連する画像及びテキストは、ＳＣＲＭのモバイル機器上のアプリケーションへ送信される。
【００１０】
本発明の一実施態様である上述したシステムにおいて、関連する画像及びテキストは、上述のデバイスへ送信される。
【００１１】
本発明の一実施態様である上述したシステムにおいて、関連する画像及びテキストは、ＳＣＲＭと通信する指定されたデバイスへ送信される。
【００１２】
本発明の一実施態様である上述したシステムにおいて、ＦＣＲＭ及びデータベースのいずれか１つはクラウドサービス上に配置される。
【００１３】
本発明の一実施態様である上述したシステムにおいて、関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される対象のパラメータに従ってなされる。
【００１４】
本発明の一実施態様である上述したシステムにおいて、命令は、さらに、対象のさらなる画像に関する情報をＳＣＲＭへ提供する。
【００１５】
本発明の一実施態様である上述したシステムにおいて、ＦＣＲＭは、さらに、ＳＣＲＭからのフィードバックによる検索結果を改善するように構成されている。
【００１６】
本発明の一実施態様である上述したシステムにおいて、ＦＣＲＭは、さらに、画像及びテキストの他のデータベースと通信している。
【００１７】
本発明の一実施態様である上述したシステムにおいて、ＦＣＲＭは、医学的な勧告を実時間でＳＣＲＭに送信する。
【００１８】
本発明の一実施態様である上述したシステムにおいて、データベースは、ＳＣＲＭに送信する関連したデータを検出するために用いられる医学文献の第２のデータベースと通信している。
【００１９】
本発明の一実施態様である上述したシステムにおいて、ＦＣＲＭは、関連したデータ及び画像を検索するために用いられ、撮像デバイスに関するソフトウェアと通信している。
【００２０】
本発明の一実施態様である上述したシステムにおいて、ＳＣＲＭは、ＦＣＲＭからフィードバックによる第２のフィードバックを受信する。
【００２１】
本発明の一実施態様である上述したシステムにおいて、ＦＣＲＭは、フィードバックに関する統計分析を上述のＳＣＲＭに送信する。
【００２２】
本発明の一実施態様である上述したシステムにおいて、ＳＣＲＭは、画像の分析の時系列を生成する。
【００２３】
医用画像の実時間分析方法は、
ａ：医用画像である画像の及び少なくとも１つの上述の画像に結び付いたテキストのデータベースを提供するステップと、
ｂ：第１のコンピュータ読取可能な媒体（ＦＣＲＭ）における第１の画像を、画像保管通信システム（ＰＡＣＳ）から受け取るステップと、
ｃ：上述のＦＣＲＭと上述のデータベースとの間で通信するステップと、
ｄ：上述した画像と上述した画像のデータベースとを比較するステップとを備えている。
上述した方法は、さらに、
ｅ：上述のデータベースから関連した画像及びテキストを見付けるステップと、
ｆ：上述の関連する画像及びテキストを第２のコンピュータ読取可能な媒体（ＳＣＲＭ）デバイスへ実時間で送信するステップと
を備えている。
【００２４】
本発明の一実施態様である上述した方法において、デバイスはＭＲＩ、ＣＴ、超音波、Ｘ線及び他の任意の医用装置からなる群から選択される。
【００２５】
本発明の一実施態様である上述した方法において、システムは手術中に使用される。
【００２６】
本発明の一実施態様である上述した方法において、関連する画像及びテキストを、ＳＣＲＭのモバイル機器上のアプリケーションへ送信するステップをさらに備えている。
【００２７】
本発明の一実施態様である上述した方法において、関連する画像及びテキストを、上述のデバイスへ送信するステップをさらに備えている。
【００２８】
本発明の一実施態様である上述した方法において、関連する画像及びテキストを、ＳＣＲＭと通信する指定されたデバイスへ送信するステップをさらに備えている。
【００２９】
本発明の一実施態様である上述した方法において、ＦＣＲＭ及びデータベースのいずれか１つをクラウドサービス上に配置するステップをさらに備えている。
【００３０】
本発明の一実施態様である上述した方法において、関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される対象のパラメータに従ってなされる。
【００３１】
本発明の一実施態様である上述した方法において、対象のさらなる画像に関する情報をＳＣＲＭへ提供するステップをさらに備えている。
【００３２】
本発明の一実施態様である上述した方法において、ＳＣＲＭから受け取ったフィードバックによる検索結果を改善するステップをさらに備えている。改善は、機械的学習方法によって、及びアプリケーションに記憶されている以前のフィードバックを微調整することによって行うことができる。
【００３３】
本発明の一実施態様である上述した方法において、画像及びテキストの他のデータベースとＦＣＲＭとの間で通信するステップをさらに備えている。
【００３４】
本発明の一実施態様である上述した方法において、ＦＣＲＭを用いて医学的な勧告を実時間でＳＣＲＭに送信するステップをさらに備えている。
【００３５】
本発明の一実施態様である上述した方法において、データベースと、ＳＣＲＭへ送信する関連するデータを見付けるために用いられる医学文献の第２のデータベースとの間で通信するステップをさらに備えている。
【００３６】
本発明の一実施態様である上述した方法において、ＦＣＲＭと、関連したデータ及び画像を検索するために用いられる、撮像デバイスに関するソフトウェアとの間で通信するステップをさらに備えている。
【００３７】
本発明の一実施態様である上述した方法において、ＳＣＲＭは、ＦＣＲＭからフィードバックによる第２のフィードバックを受信する。
【００３８】
本発明の一実施態様である上述した方法において、ＦＣＲＭは、フィードバックに関する統計分析を上述のＳＣＲＭに送信する。
【００３９】
本発明の一実施態様である上述した方法において、ＳＣＲＭは、画像の分析の時系列を生成する。
【００４０】
本発明を理解し、かつどのように実施されるかを知るため、非限定的な実施形態のみであるがいくつかの好ましい実施形態について、以下、添付の図面を参照して説明する。
【図面の簡単な説明】
【００４１】
【図１】医用画像を実時間分析するシステムを設計するシステムを説明している。
【図２】医用画像を実時間分析するシステムの方法のフローチャートを示している。
【発明を実施するための形態】
【００４２】
以下の記載は、いかなる当業者も本発明を実施することができるように提供されており、本発明を実施する発明者によって意図された実施形態について説明している。しかしながら、本発明の一般的な原理が特に規定されているため、当業者によれば、種々の変更態様が明らかである。また、本明細書において使用される表現及び用語は、説明のためのものであって本発明を限定するものではないことを理解すべきである。
【００４３】
本発明の１つの目的は、医用画像を実時間分析するシステムを提供することにある。このシステムは、医用画像である画像の及び少なくとも１つの上述の画像に結び付いたテキストのデータベースと、画像保管通信システム（ＰＡＣＳ）から画像を受け取り、上述のデータベースと通信し、上述した画像と上述した画像のデータベースとを比較する命令を有する第１のコンピュータ読取可能な媒体（ＦＣＲＭ）と、上述のＦＣＲＭと通信している第２のコンピュータ読取可能な媒体（ＳＣＲＭ）とを備えている。上述のＦＣＲＭは、上述のデータベースから関連する画像及びテキストを見付けるようにさらに命令されており、さらに、上述のＦＣＲＭは、上述の関連する画像及びテキストを上述のＳＣＲＭへ実時間で送信するように命令されている。
【００４４】
本発明の一実施形態を示す図１を以下参照すると、システム１００は、患者１０７を走査する撮像デバイス１０６と通信する巨大サーバ１０１を備えている。患者１０７の走査画像は、分析のためにクラウドサーバ１０１に返送される。分析は、クラウドサーバ１０１と種々のデータベース（例えば、医用データのデータベース１０５、画像及びテキストに基づく医療記録１０４、並びにインターネットからの関連した画像及びテキスト１０３）との間で通信することによってなされる。
【００４５】
クラウドサーバ１０１は、撮像デバイス１０６から受け取った走査データに最も適合したデータについて、これらのデータベースを検索する。適合したものが見つかると、サーバ１０１は、患者１０７を治療している医師のモバイル機器であってもよいＳＣＲＭ１０２へこのデータを送信する。これは、さらなる治療に関する追加の医学的な勧告によって可能となる。
【００４６】
本発明の一実施形態である上述したシステムにおいて、デバイスはＭＲＩ、ＣＴ、超音波、Ｘ線及び他の任意の医用装置からなる群から選択される。
【００４７】
本発明の一実施形態である上述したシステムにおいて、システムは手術中に使用される。
【００４８】
本発明の一実施形態である上述したシステムにおいて、関連する画像及びテキストは、ＳＣＲＭのモバイル機器上のアプリケーションへ送信される。
【００４９】
本発明の一実施形態である上述したシステムにおいて、関連する画像及びテキストは、上述のデバイスへ送信される。
【００５０】
本発明の一実施形態である上述したシステムにおいて、関連する画像及びテキストは、ＳＣＲＭと通信する指定されたデバイスへ送信される。
【００５１】
本発明の一実施形態である上述したシステムにおいて、ＦＣＲＭ及びデータベースのいずれか１つはクラウドサービス上に配置される。
【００５２】
本発明の一実施形態である上述したシステムにおいて、関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される対象のパラメータに従ってなされる。
【００５３】
本発明の一実施形態である上述したシステムにおいて、命令は、さらに、対象のさらなる画像に関する情報をＳＣＲＭへ提供する。
【００５４】
本発明の一実施形態である上述したシステムにおいて、ＦＣＲＭは、さらに、ＳＣＲＭからのフィードバックによる検索結果を改善するように構成されている。
【００５５】
本発明の一実施形態である上述した（請求項１に記載の）システムにおいて、ＦＣＲＭは、画像及びテキストの他のデータベースと通信している。
【００５６】
本発明の一実施形態である上述したシステムにおいて、ＦＣＲＭは、医学的な勧告を実時間でＳＣＲＭに送信する。
【００５７】
本発明の一実施形態である上述したシステムにおいて、データベースは、ＳＣＲＭに送信する関連したデータを検出するために用いられる医学文献の第２のデータベースと通信している。
【００５８】
本発明の一実施形態である上述したシステムにおいて、ＦＣＲＭは、関連したデータ及び画像を検索するために用いられ、撮像デバイスに関するソフトウェアと通信している。
【００５９】
上述したシステムである本発明の一実施形態において、ＳＣＲＭは、ＦＣＲＭからフィードバックによる第２のフィードバックを受信する。
【００６０】
本発明の一実施形態である上述したシステムにおいて、ＦＣＲＭは、フィードバックに関する統計分析を上述のＳＣＲＭに送信する。
【００６１】
本発明の一実施形態である上述したシステムにおいて、ＳＣＲＭは、画像の分析の時系列を生成する。
【００６２】
以下、本発明の非限定的な一実施形態を示す図１を参照する。
【００６３】
医用画像の実時間分析方法は、
医用画像である画像の及び少なくとも１つの上述の画像に結び付いたテキストのデータベースを提供するステップ２０１と、
コンピュータ読取可能な媒体（ＦＣＲＭ）における第１の画像を、画像保管通信システム（ＰＡＣＳ）から受け取るステップ２０２と、
上述のＦＣＲＭと上述のデータベースとの間で通信するステップ２０３と、
上述した画像と上述した画像のデータベースとを比較するステップ２０４とを備えている。
上述した方法は、さらに、
上述のデータベースから関連した画像及びテキストを見付けるステップ２０５と、
上述の関連する画像及びテキストを第２のコンピュータ読取可能な媒体（ＳＣＲＭ）デバイスへ実時間で送信するステップ２０６と
を備えている。
【００６４】
本発明の一実施形態である上述した方法において、デバイスはＭＲＩ、ＣＴ、超音波、Ｘ線及び他の任意の医用装置からなる群から選択される。
【００６５】
本発明の一実施形態である上述した方法において、システムは手術中に使用される。
【００６６】
本発明の一実施形態である上述した方法において、関連する画像及びテキストを、ＳＣＲＭのモバイル機器上のアプリケーションへ送信するステップをさらに備えている。
【００６７】
本発明の一実施形態である上述した方法において、関連する画像及びテキストを、上述のデバイスへ送信するステップをさらに備えている。
【００６８】
本発明の一実施形態である上述した方法において、関連する画像及びテキストを、ＳＣＲＭと通信する指定されたデバイスへ送信するステップをさらに備えている。
【００６９】
本発明の一実施形態である上述した方法において、ＦＣＲＭ及びデータベースのいずれか１つをクラウドサービス上に配置するステップをさらに備えている。
【００７０】
本発明の一実施形態である上述した方法において、関連する画像及びテキストを見付けることは、年齢、性別、ジェンダー、体重、身長、医療歴、家族の医療歴、遺伝子プロフィール、医療データ、個人の危険因子、処方された薬、及びこれらの組み合わせからなる群から選択される対象のパラメータに従ってなされる。
【００７１】
本発明の一実施形態である上述した方法において、対象のさらなる画像に関する情報をＳＣＲＭへ提供するステップをさらに備えている。
【００７２】
本発明の一実施形態である上述した方法において、ＳＣＲＭから受け取ったフィードバックによる検索結果を改善するステップをさらに備えている。
【００７３】
本発明の一実施形態である上述した方法において、画像及びテキストの他のデータベースとＦＣＲＭとの間で通信するステップをさらに備えている。
【００７４】
本発明の一実施形態である上述した方法において、医学的な勧告をＦＣＲＭを用いて実時間でＳＣＲＭに送信するステップをさらに備えている。
【００７５】
本発明の一実施形態である上述した方法において、データベースと、ＳＣＲＭへ送信する関連するデータを見付けるために用いられる医学文献の第２のデータベースとの間で通信するステップをさらに備えている。
【００７６】
本発明の一実施形態である上述した方法において、ＦＣＲＭと、関連したデータ及び画像を検索するために用いられる、撮像デバイスに関するソフトウェアとの間で通信するステップをさらに備えている。
【００７７】
本発明の一実施形態である上述した方法において、ＳＣＲＭは、ＦＣＲＭからフィードバックによる第２のフィードバックを受信する。
【００７８】
本発明の一実施形態である上述した方法において、ＦＣＲＭは、フィードバックに関する統計分析を上述のＳＣＲＭに送信する。
【００７９】
本発明の一実施形態である上述した方法において、ＳＣＲＭは、画像の分析の時系列を生成する。
【００８０】
（実施例１）
本発明の一例において、患者が超音波検査を行っているとする。超音波デバイスの操作者は、データベースに超音波デバイスを接続する。データベースは、前の超音波画像及びそれら画像に関連したテキストの両方を保持している。データベースは、患者から得られた画像に適合する画像を見付けるために、その保持している画像を走査する。画像及びテキストが見付かると、それらは操作者に送り返される。操作者は、患者を診断するために、又は超音波による走査に再度焦点を当てるために、それら画像及びテキストを使用することができる。
再び焦点に集まるために、極端なものによってスキャンしている彼のものは鳴る。
【００８１】
（実施例２）
本発明の他の例において、外科医が手術中であるとする。手術中、外科医はデータベースと通信している医用撮像デバイスを使用する。外科医は、彼の患者の、例えば、女性、７０Ｋｇ、１７３ｃｍ、及び遺伝子プロフィール等のパラメータをシステムに入力する。システムは、１７０ｃｍ、６５ｋｇ及び類似した遺伝子プロフィールというパラメータを有する女性の、手術中に得られた画像に類似する他の画像を検出することが可能である。次いで、システムは外科医にこの画像に関する結果を送信し、外科医は手術をどのように続行するかを決めるためにこのデータを使用する。
【００８２】
（実施例３）
本発明の他の例において、撮像デバイスがサーバを介してインターネット検索をしているソフトウェアと通信しているとする。ソフトウェアは、撮像デバイスで走査された画像に関連しておりインターネットから得られた画像及びテキストのデータを提供する。インターネットから得られたデータは、サーバの医用画像（テキストを含む）のデータベースからのデータと比較すると、削減されている。処理終了時には、システムは、類似した走査結果を検出することができ、サーバとの通信で得られる医療歴に従った医師の診断を提供することができる。この医師の診断は、撮像デバイスに、又は医師若しくは患者のモバイル機器上にインストールされたアプリケーションに送り返すことができる。
【００８３】
（実施例４）
画像及びテキストのデータベースは、画像を分析し比較するように構成されているアプリケーションと共にクラウドサービス上に配置される。医用画像は、病院のＰＡＣＳシステムからこのアプリケーションに送信される。画像は脳のＣＴ画像である。アプリケーションは、画像を走査し、その結果をデータベースの他の画像と比較する。アプリケーションは、データベースにおいて類似した画像を見付けると、この画像に添付されているテキストを、診断を行う医師に送信するために使用する。医師は、この診断用データを、信頼レベルと共に、自分のｉＰＡＤ（登録商標）で直接的に受け取る。
【００８４】
（実施例５）
本発明の他の例において、画像分析のためのアプリケーションは、病院の、クラウドサーバの、及び医師のモバイル機器のアプリケーションのＰＡＣＳシステムにインストールされる。これら３つのアプリケーションは、互いに通信している。画像はＣＴ装置によって撮像され、ＰＡＣＳサーバにおいて処理される。最初の分析が終わった後、その結果はクラウドに送信され、他の画像とのマッチングが行われる。マッチングの後、診断が行われ、医師のモバイル機器に直接的に送信される。医師は診断の質を評価し、クラウドへそのフィードバックを送信する。このフィードバックは、将来の参照のために記憶される。
【００８５】
時間の経過後、医療処置が行われ、この医療処置の結果が、クラウドに、さらにそこから医師に送られ、最初の診断のフィードバックを両者へ提供する。さらに、このフィードバックは、将来の診断を改善するために、アプリケーションによって使用される。
【００８６】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００８７】
１００  システム
１０１  クラウドサーバ
１０２  ＳＣＲＭ
１０３  インターネットからの関連した画像及びテキスト
１０４  医療記録
１０５  医用データのデータベース
１０６  撮像デバイス
１０７  患者
【図１】
0006469658.tif 000002
【図２】
0006469658.tif 000003